(57)【特許請求の範囲】
【請求項１】
感光性のフィルムの端部に遮光紙を接合して巻き取りスプールに巻かれるタイプの写真用ロールフィルムの巻き取りスプールの軸方向端部の少なくとも一方で、フィルム又は遮光紙の搬送通過時には該フィルム又は遮光紙によって撓み、通過し終わると復元する浅い円筒形状部を有する可撓性フランジが前記スプールに同心に結合して設けられていることを特徴とする写真フィルム包装体。
【請求項２】
前記可撓性フランジは熱成形又は射出成形によって製造されたことを特徴とする請求項１に記載の写真フィルム包装体。
【請求項３】
前記可撓性フランジは少なくとも一つ以上の穴を有し、前記スプールは前記穴に対応して係合する突起を有し前記可撓性フランジとスプールが結合されていることを特徴とする請求項１又は２に記載の写真フィルム包装体。
【発明の詳細な説明】
【０００１】
【発明の属する技術分野】
本発明は写真用ロールフィルムの包装体の改良及び製造方法に関する。
【０００２】
【従来の技術】
１２０タイプのロールフィルムは図９の平面図に示すように所定長さの遮光紙２の上の所定位置に一定長さに計尺されたフィルム１が重ねられて接着紙６で貼り付けられ遮光紙の後端部２Ｂはスプール１０の巻軸１１のスリット１３に差し込まれて巻かれ巻終わった遮光紙２の先端部２Ａには解け止めの為の封紙１６が貼り付けられて図７の斜視図に示すようなロールフィルムになり、包装して出荷される。
【０００３】
また、２２０タイプのロールフィルムは図１０の平面図に示すように遮光紙はフィルム１とは重ねないでフィルム１の両端部１Ａ，１Ｂでそれぞれ遮光紙３，４の接合部３Ａ，４Ｂで接合し遮光紙３の後端部３Ｂはスプール１０の巻軸１１のスリット１３に差し込まれて巻かれるようにしたものである。そして出来上がりの状態は１２０タイプの場合と同じで、図７の斜視図に示すようなロールフィルムになり、包装して出荷される。
【０００４】
一方このようなロールフィルムの封紙１６を破りカメラに装填し、その遮光紙の先端部２Ａ又は４Ａを既にカメラの巻取室に装着されているスプール（前述のスプールと形状、寸法の同じ別のスプール）のスリットに差し込んだ状態で撮影を行う。そして撮影毎にカメラの巻き取り機構が働き撮り終わるとカメラから取り出され、解け止めがなされたうえで、現像処理に回すシステムになっている。
【０００５】
【発明が解決しようとする課題】
遮光紙の幅がスプール１０のフランジ１２Ａ，１２Ｂの内面間の幅に対して小さい場合は、図８の部分断面図にも示すようにスプール１０のフランジ１２Ａ，１２Ｂと遮光紙２やフィルム１のエッジとの間の隙間から光が入りフィルムをかぶらせることがある。それとは逆に、遮光紙の幅がスプール１０のフランジ１２Ａ，１２Ｂの内面間の幅に対して大きい場合は、スプール１０のフランジ１２，１２Ｂの内面間に遮光紙を収納しきれなくなってしまう。
【０００６】
また、カメラに設けられている巻き取り駆動軸がフィルム給送方向に対して傾いてしまっている場合には、撮影後のフィルムはスプールにかたよって巻かれてしまうので前述の状態と同様になり、カメラからフィルムを取り出した時にスプール１０のフランジ１２Ａ，１２Ｂと遮光紙のエッジとの間の隙間から光が入りフィルムをかぶらせてしまう。
【０００７】
更にフランジがこすれることにより、削りくずが発生してしまうことがある。
【０００８】
本発明はこのような問題点を解消して光漏れのないしかも搬送性の良い安定した状態の写真用ロールフィルムの包装体及びその製造方法を提供することを課題目的にする。
【０００９】
【課題を解決するための手段】
この目的は次の技術手段（１），（２），（３），（４）及び（５）の何れか１項によって達成される。
【００１０】
（１）  感光性のフィルムの端部に遮光紙を接合して巻き取りスプールに巻かれるタイプの写真用ロールフィルムの巻き取りスプールの軸方向端部の少なくとも一方で、フィルム又は遮光紙の搬送通過時には該フィルム又は遮光紙によって撓み、通過し終わると復元する浅い円筒形状部を有する可撓性フランジが前記スプールに同心に結合して設けられていることを特徴とする写真フィルム包装体。
【００１１】
（２）  前記可撓性フランジは熱成形又は射出成形によって製造されたことを特徴とする（１）項に記載の写真フィルム包装体。
【００１２】
（３）  前記可撓性フランジは少なくとも一つ以上の穴を有し、前記スプールは前記穴に対応して係合する突起を有し前記可撓性フランジとスプールが結合されていることを特徴とする（１）項又は（２）項に記載の写真フィルム包装体。
【００１３】
（４）  前記包装体の可撓性フランジとスプールとの結合を熱溶着又は超音波溶着によって行うことを特徴とする写真フィルム包装体の製造方法。
【００１４】
（５）  （３）の包装体の可撓性フランジとスプールとの結合を、前記穴に対し前記突起をかしめることによって行うことを特徴とする写真フィルム包装体の製造方法。
【００１５】
【発明の実施の形態】
本発明の写真フィルム包装体の実施の形態を図を用いて説明する。
【００１６】
図１（ａ）は本発明の包装体の斜視図であり、図１（ｂ）はその包装体に図９又は図１０で示したようなフィルムと遮光紙を重ね巻きした写真用ロールフィルムの斜視図であり、図１（ｃ）は図１（ｂ）をスプール軸を含む平面で切断した部分断面図である。
【００１７】
図１において、スプール１０は巻軸１１の両端部にフランジ１２Ａ，１２Ｂを有し、その両端軸心部には巻き取り時に駆動軸のカップリングも可能にした十字穴１７が設けられ、巻軸１１の周面の母線方向には遮光紙端部係止用のスリット１３が設けられている。但し、フランジ１２Ａ，１２Ｂの外径はフィルムの巻径よりも小さくしてある。
【００１８】
このようなスプールの材質はカーボン系の遮光剤を混練したポリスチレン樹脂等であり、このような材料を用いることによりスプールは射出成形による大規模の量産が可能になるという利点がある。
【００１９】
両フランジ１２Ａ，１２Ｂの外側には可撓性フランジ３０が同心に固定して取り付けられる。
【００２０】
可撓性フランジ３０はスプール１０のフランジ１２Ａ，１２Ｂの外側面に円盤部３１Ａの内面が接し、フランジ１２Ａ，１２Ｂの外周に短径の胴部３１で包むように嵌合し、更に胴部３１の外周端部からリング状の円盤部３２Ａと胴部３２が形成され、胴部３２の外周端部には更に折り返し部３３が設けられている筒状の薄い可撓性の部材である。
【００２１】
そして円盤部３１Ａの内面はスプール１０のフランジ１２Ａ，１２Ｂの外側面に接合され円盤部３２Ａの内側面はフランジ１２Ａ，１２Ｂの内側面と略同一の平面にしてある。
【００２２】
尚、円盤部３１Ａの中心部は同心状に開口穴３４が設けられ、巻き取り、巻解きのときにスプール１０に駆動軸や従動軸が嵌合可能にしてある。
【００２３】
遮光紙とフィルムがスプール１０に重ね巻きされるときには可撓性フランジ３０の外側の胴部３２及びそのエッジの折り返し部３３を撓ませて曲げながら巻かれて図１（ｂ），（ｃ）に示されるようなロールフィルムが作成される。
【００２４】
尚、折り返し部３３があるためフィルムや遮光紙のエッジが可撓性フランジ３０の円滑な折り返し部３３で接し、該可撓性フランジ３０の最外周エッジがこすられて削り屑が出ることも無く、搬送抵抗も大きく軽減される。
【００２５】
また、フィルムを巻き取る時にフィルムのエッジがひっかかることなく、円滑に巻き取りが行われる利点がある。
【００２６】
可撓性フランジ３０を装着したスプール１０に重ね巻きされたスクロールの両端面は円盤部３２Ａに近接して収納されていて隙間が保てる状態にしてある。しかし、スクロールの最外周の遮光紙と胴部３２の内周面はほぼ密着しているので、スクロール両端面と円盤部３２Ａの隙間に入り込もうとする光は極度に弱められ、本発明の写真フィルム包装体を用いた写真用ロールフィルムが日中に曝されて置かれていても、光線カブリを受けて写真性能を阻害される危険性は全くといって良いほど無くなる。
【００２７】
図２（ａ）は本発明の写真フィルム包装体を用いた写真用ロールフィルムの重ね巻きされたフィルムと遮光紙がカメラ内で撮影毎に巻解かれて引き出されながら別の同型のスプールに巻き取られて行くときの状態を示す斜視図であり、図２（ｂ）は図２（ａ）のスプール軸を含む面で切断した部分断面図である。
【００２８】
図２（ａ），（ｂ）に示すように本発明の写真フィルム包装体を用いた写真用ロールフィルムがカメラ内に装填されているとき又は巻き取られて行くときは遮光紙単独又は遮光紙とフィルムは可撓性フランジ３０を撓ませて引き出されて行くが、その撓ませる力は僅かであり、従来のものよりもカメラの巻き取りトルクを大きくして動力損失を招くほどの障害とはならない。
【００２９】
尚、可撓性フランジ３０はスプール１０の両端フランジ１２Ａ，１２Ｂの両方に設けることが望ましいが、何れか一方にだけ設けた方式にしても同様な効果が得られる。
【００３０】
次に、本発明の写真フィルム包装体の製造方法について説明する。
【００３１】
この実施例において、可撓性フランジ３０の材質としては、ＰＳ（ポリスチレン）、ＰＰ（ポリプロピレン）、ＰＥＴ（ポリエチレンテレフタレート）、ＰＣ（ポリカーボネイト）、ＰＶＣ（ポリ塩化ビニル）、ＰＰＥ（ポリフェニレンエーテル）等の熱可塑性樹脂が用いられ、繰り返し耐久性、フィルムスクロールの保持性、フィルムの送り出しの確実性等の観点から、変性ＰＰＥ樹脂が好適である。
【００３２】
変性ＰＰＥはＰＰＯ（ポリフェニレンオキサイド）樹脂に加工性向上の目的でＰＳ樹脂を混合したものであり、具体的商標名としては旭化成（株）製“ザイロン”、日本ジーイープラスチック（株）製“ノリル”、三菱エンジニアリングプラスチックス（株）製“ユピエース”等が挙げられる。
【００３３】
変性ＰＰＥ樹脂中のＰＰＯ含有量としては、５０重量％以上９５重量％未満が好適であり、５０重量％未満では、繰り返し耐久性、フィルムスクロールの保持性が劣り、９５重量％以上では樹脂の流動性が低下し、加工が極めて困難になる。
【００３４】
樹脂中には滑剤、可塑剤、帯電防止剤、着色剤等の添加剤を含有することができる。着色剤としてはカーボンブラックを含有させて遮光性を持たせたものを用いている。なお、混合されるＰＳ樹脂はブタジェンゴム等のゴム粒子を含有するＨＩＰＳ（ハイインパクトポリスチレン）であることが好ましい。ディスクの厚みは０．１〜０．２ｍｍの間が好ましい。
【００３５】
この実施例の可撓性フランジは、下記のような樹脂組成により作成した。
【００３６】
ＰＰＯ                                                  ７０重量％
ＨＩＰＳ                                                ２４重量％
リン酸エステル系可塑剤                                    ５重量％
カーボンブラック                                          １重量％
からなる変性ＰＰＥ樹脂を溶融押し出し方式で厚さ（０．１５ｍｍ）のシート状に成形した後、熱成形特にその圧空成形方式で形状加工を行なうことにより製作した。
【００３７】
また、略同様の材料の樹脂のペレットを射出成形して製作することもできる。
【００３８】
図３は本発明の写真フィルム包装体の一例の分解斜視図であり、可撓性フランジ３０の円盤部３１Ａには少なくとも１つの結合穴３５が開けられ、スプール１０のフランジ１２Ａ，１２Ｂには前記穴３５に対応する突起１８が設けられている。前記穴３５と前記突起１８とが結合した状態が図４の斜視図である。その図４をスプール軸を含む平面で切断した部分断面図が図５である。このように位置決めして結合した状態で熱溶着又は超音波溶着を行って完全に接合したのが請求項４に示した実施の形態の一例である。
【００３９】
また、図６の断面図に示すように、前記結合穴３５に嵌合した突起１８の先端をかしめることにより、結合するようにしたのが請求項５に示した実施の形態の一例である。
【００４０】
【発明の効果】
本発明の写真フィルム包装体を用いたフィルムが遮光紙とともにスプールに巻かれるタイプの写真用ロールフィルムによりフィルムエッジからの光線かぶりを無くすことができ、カメラ内での搬送性も円滑にすることが可能になり、カメラの巻き取りトルクも軽く消費動力も特に増加せずに済ますことができた。
【００４１】
更に、本発明の包装体を１２０タイプや２２０タイプの写真用ロールフィルムに適用するときは、該ロールフィルムの規格寸法を変えることなくそれに合わせた寸法の包装体を提供可能であり、例えば現行のブローニ型カメラの仕様を全く変えることなく、このような高性能のロールフィルムを適用可能になる。
【００４２】
また、本発明は特に高感度の写真フィルムに全く安心して適用できる安全な包装体であると云うことができる。
【図面の簡単な説明】
【図１】（ａ）は本発明の包装体の実施の形態の一例の斜視図であり、（ｂ）はその包装体にフィルムと遮光紙を重ね巻きした写真用ロールフィルムの斜視図であり、（ｃ）は（ｂ）をスプール軸を含む面で切断した部分断面図である。
【図２】（ａ）は本発明の写真フィルム包装体を用いた写真用ロールフィルムが重ね巻きされたフィルムと遮光紙がカメラ内で撮影毎に巻解かれて引き出されながら別の同型のスプールに巻き取られて行くときの状態を示す斜視図であり、（ｂ）は（ａ）のスプール軸を含む面で切断した部分断面図である。
【図３】本発明の写真フィルム包装体の一例の分解斜視図である。
【図４】図３の各部材を結合した状態を示す斜視図である。
【図５】図４のスプール軸方向に切断した状態を示す部分断面図である。
【図６】図４のスプール軸方向に切断した別の状態を示す部分断面図である。
【図７】従来の１２０タイプのロールフィルムの斜視図である。
【図８】図７のスプール軸方向に切断した状態を示す部分断面図である。
【図９】従来の１２０タイプのロールフィルムの各部材の構成を示す展開平面図である。
【図１０】従来の２２０タイプのロールフィルムの各部材の構成を示す展開平面図である。
【符号の説明】
１  フィルム
２，３，４  遮光紙
２Ａ，４Ａ  先端部
２Ｂ，３Ｂ  後端部
３Ａ，４Ｂ  接合部
６  接着紙
１０  スプール
１１巻軸
１２Ａ，１２Ｂ  フランジ
１３  スリット
１７  十字穴
１８  突起
３０  可撓性フランジ
３１、３２  胴部
３１Ａ，３２Ａ  円盤部
３３  折り返し部
３４  開口
３５  穴
【図１】
0003619919.tif 000002
【図２】
0003619919.tif 000003
【図３】
0003619919.tif 000004
【図４】
0003619919.tif 000005
【図５】
0003619919.tif 000006
【図６】
0003619919.tif 000007
【図７】
0003619919.tif 000008
【図８】
0003619919.tif 000009
【図９】
0003619919.tif 000010
【図１０】
0003619919.tif 000011